(57)【要約】【課題】  重量の重いハンマーを用いず、アコースティックピアノの鍵タッチ感に近似した鍵タッチ感を得る。【解決手段】  押鍵時に鍵２にアクション荷重を付与するカム機構３が、押鍵操作に応じて回動するカム部材６と、このカム部材６を付勢するコイルばね７とを有し、カム部材６には、押鍵開始時から押鍵終了直前まで鍵２をガイドする傾斜ガイド溝１０と、押鍵終了直前から押鍵終了まで鍵２をガイドする無負荷ガイド溝１１と、離鍵時に鍵２をガイドする離鍵ガイド溝１２とをほぼ環状に連続させて形成した。従って、押鍵開始時から押鍵終了直前までは傾斜ガイド溝１０によって鍵荷重が次第に重くなるアクション荷重を鍵２に付与することができ、押鍵終了直前から押鍵終了時には無負荷ガイド溝１１によって鍵２に押鍵力の抜ける感じの鍵タッチ感を付与することができ、更に離鍵時に離鍵ガイド溝１２によって鍵２を初期位置に円滑に戻すことができる。【選択図】        図１
2006030437.tif 000002
【特許請求の範囲】
【請求項１】
上下方向に回動可能に配置された鍵と、この鍵に対応して配置され、前記鍵の押鍵操作に伴って前記鍵にアクション荷重を付与するカム機構とを備えた鍵盤装置において、
前記カム機構は、前記鍵の押鍵操作に応じて回動するカム部材と、このカム部材を初期位置に付勢する付勢部材とを有し、
前記カム部材は、押鍵開始時から押鍵終了直前まで前記鍵をガイドして前記鍵に前記付勢部材によるアクション荷重を付与するための傾斜ガイド溝と、押鍵終了直前から押鍵終了まで前記鍵をガイドして前記鍵に前記付勢部材による負荷がほとんど加わらない無負荷ガイド溝と、離鍵時に前記鍵をガイドして初期位置に復帰させる離鍵ガイド溝とがほぼ環状に連続して形成されていることを特徴とする鍵盤装置。
【請求項２】
上下方向に回動可能に配置された鍵と、この鍵に対応して配置され、前記鍵の押鍵操作に伴って前記鍵にアクション荷重を付与するカム機構とを備えた鍵盤装置において、
前記カム機構は、前記鍵に設けられたカム溝と、このカム溝に沿って揺動する揺動部材と、この揺動部材を初期位置に付勢する付勢部材とを有し、
前記カム溝は、押鍵開始時から押鍵終了直前まで前記回動部材をガイドして前記鍵に前記付勢部材によるアクション荷重を付与するための傾斜ガイド部と、押鍵終了直前から押鍵終了まで前記揺動部材をガイドして前記鍵に前記付勢部材による負荷がほとんど加わらない無負荷ガイド部と、離鍵時に前記揺動部材をガイドして前記鍵を初期位置に復帰させる離鍵ガイド部とがほぼ環状に連続して形成されていることを特徴とする鍵盤装置。
【発明の詳細な説明】
【技術分野】
【０００１】
この発明は、電子ピアノなどの鍵盤楽器に用いられる鍵盤装置に関する。
【背景技術】
【０００２】
例えば、電子ピアノなどの鍵盤楽器においては、アコースティックピアノの鍵タッチ感に近似した鍵タッチ感を得るために、鍵の下側にハンマーを上下方向に回動可能に設け、鍵の押鍵操作に伴ってハンマーがその重量に抗して回動することにより、鍵に所定のアクション荷重を付与するように構成したものがある。
【０００３】
このような鍵盤楽器では、鍵にアクション荷重を付与するために、重量の重いハンマーを用いていることにより、鍵盤全体の重量が重くなるという問題があるほか、重量の重いハンマーを支持する鍵盤シャーシなどの支持構造に十分な強度を持たせる必要があるため、構造も複雑になるなどの問題がある。
【０００４】
このような問題を改善するため、従来の鍵盤楽器においては、重量の重いハンマーに代えて、特許文献１に記載されているように、押鍵操作時に鍵にアクション荷重を付与するカム機構を用いた構成のものがある。このカム機構は、鍵に回動可能に取り付けられたカム部材と、鍵に設けられてカム部材を初期位置に付勢する付勢部材と、鍵盤シャーシに設けられて押鍵時にカム部材が当接して乗り越えるカム押圧突起とを備えた構成になっている。
【特許文献１】実開平２−６４９９３号公報
【０００５】
このような鍵盤楽器では、鍵を押鍵すると、カム押圧突起に形成されたほぼ円形状の押圧面がカム部材に形成された円弧状のカム面に当接し、この状態でカム押圧突起の押圧面がカム部材のカム面に沿って摺動するときに、付勢部材の付勢力に抗してカム押圧突起がカム部材を回動させることにより、鍵荷重を急激に重くして鍵にアクション荷重を付与し、この後、カム押圧突起の押圧面がカム部材のカム面を乗り越えることにより、鍵荷重を急激に軽くして押鍵力が抜ける感じの鍵タッチ感を付与するように構成されている。
【発明の開示】
【発明が解決しようとする課題】
【０００６】
しかしながら、このような従来の鍵盤楽器においては、鍵が初期状態のときにカム部材とカム押圧突起とが離れているため、押鍵開始時には鍵荷重が軽く、カム部材のカム面がカム押圧突起の押圧面に当接したときに鍵荷重が急激に重くなり、カム面を押圧面が乗り越えたときに鍵荷重が急激に軽くなり、離鍵時には逆に押圧面がカム面を乗り越えて鍵にクリック感を付与する動作を行うため、アコースティックピアノの鍵タッチ感に近似した鍵タッチ感、つまり押鍵開始時から押鍵終了直前まで鍵荷重が次第に重くなり、押鍵終了直前から押鍵終了までのときに鍵荷重が急激に軽くなり、離鍵時には鍵にクリック感を与えずに円滑に鍵を初期位置に復帰させるという鍵タッチ感を得ることができないという問題がある。
【０００７】
この発明が解決しようとする課題は、重量の重いハンマーを用いずに、アコースティックピアノの鍵タッチ感に近似した鍵タッチ感を得ることができる鍵盤装置を提供することである。
【課題を解決するための手段】
【０００８】
この発明は、上記課題を解決するために、次のような構成要素を備えている。
なお、各構成要素には、後述する各実施形態の項で説明される各要素に付されている図面の参照番号などを括弧と共に付す。
【０００９】
請求項１に記載の発明は、図１〜図８に示すように、上下方向に回動可能に配置された鍵（２）と、この鍵に対応して配置され、前記鍵の押鍵操作に伴って前記鍵にアクション荷重を付与するカム機構（３）とを備えた鍵盤装置において、前記カム機構は、前記鍵の押鍵操作に応じて回動するカム部材（６、１４）と、このカム部材を初期位置に付勢する付勢部材（コイルばね７、板ばね１７、トーションばね１８）とを有し、前記カム部材は、押鍵開始時から押鍵終了直前まで前記鍵をガイドして前記鍵に前記付勢部材によるアクション荷重を付与するための傾斜ガイド溝（１０）と、押鍵終了直前から押鍵終了まで前記鍵をガイドして前記鍵に前記付勢部材による負荷がほとんど加わらない無負荷ガイド溝（１１）と、離鍵時に前記鍵をガイドして初期位置に復帰させる離鍵ガイド溝（１２）とがほぼ環状に連続して形成されていることを特徴とする鍵盤装置である。
【００１０】
請求項２に記載の発明は、図９〜図１５に示すように、上下方向に回動可能に配置された鍵（２）と、この鍵に対応して配置され、前記鍵の押鍵操作に伴って前記鍵にアクション荷重を付与するカム機構（２０）とを備えた鍵盤装置において、前記カム機構は、前記鍵に設けられたカム溝（２１）と、このカム溝に沿って揺動する揺動部材（２２）と、この揺動部材を初期位置に付勢する付勢部材（コイルばね２３、板ばね３０、トーションばね３１）とを有し、前記カム溝は、押鍵開始時から押鍵終了直前まで前記揺動部材をガイドして前記鍵に前記付勢部材によるアクション荷重を付与するための傾斜ガイド部（２６）と、押鍵終了直前から押鍵終了まで前記揺動部材をガイドして前記鍵に前記付勢部材による負荷がほとんど加わらない無負荷ガイド部（２７）と、離鍵時に前記揺動部材をガイドして前記鍵を初期位置に復帰させる離鍵ガイド部（２８）とがほぼ環状に連続して形成されていることを特徴とする鍵盤装置である。
【発明の効果】
【００１１】
請求項１に記載の発明によれば、鍵を押鍵すると、押鍵開始時から押鍵終了直前までカム部材の傾斜ガイド溝が鍵をガイドするので、カム部材が付勢部材の付勢力に抗して回動し、このときに付勢部材の付勢力がカム部材を介して鍵に伝わるため、傾斜ガイド溝によって鍵荷重が次第に重くなるアクション荷重を鍵に付与することができ、また押鍵終了直前から押鍵終了までカム部材の無負荷ガイド溝が鍵をガイドするので、付勢部材の付勢力が鍵にほとんど加わることがなく、このため鍵に押鍵力の抜ける感じの鍵タッチ感を付与することができ、更に離鍵時には離鍵ガイド溝が鍵をガイドするので、押鍵時と異なるガイド経路を経て、従来例のようなクリック感を鍵に与えずに、鍵を初期位置に円滑に復帰させることができ、これにより重量の重いハンマーを用いずに、アコースティックピアノの鍵タッチ感に近似した鍵タッチ感を得ることができる。
【００１２】
請求項２に記載の発明によれば、鍵を押鍵すると、押鍵開始時から押鍵終了直前までカム溝の傾斜ガイド部が揺動部材をガイドするので、揺動部材が付勢部材の付勢力に抗して揺動し、このときに付勢部材の付勢力が揺動部材およびカム溝を介して鍵に伝わるため、傾斜ガイド部によって鍵荷重が次第に重くなるアクション荷重を鍵に付与することができ、また押鍵終了直前から押鍵終了までカム溝の無負荷ガイド部が揺動部材をガイドするので、付勢部材の付勢力が揺動部材を介して鍵にほとんど加わることがなく、このため鍵に押鍵力の抜ける感じの鍵タッチ感を付与することができ、更に離鍵時にカム溝の離鍵ガイド部が揺動部材をガイドするので、揺動部材が押鍵時と異なるガイド経路を経て、従来例のようなクリック感を鍵に与えずに、鍵を初期位置に円滑に復帰させることができ、これにより請求項１に記載の発明と同様、重量の重いハンマーを用いずに、アコースティックピアノの鍵タッチ感に近似した鍵タッチ感を得ることができる。
【発明を実施するための最良の形態】
【００１３】
（実施形態１）
以下、図１〜図５を参照して、この発明を適用した鍵盤装置の実施形態１について説明する。
図１はこの発明の鍵盤装置の要部を概略的に示した一部破断した側面図、図２は図１のＡ−Ａ矢視における拡大断面図である。
この鍵盤装置は、鍵盤シャーシ１上に上下方向に回動可能に配置された合成樹脂製の鍵２と、この鍵２に対応して配置され、押鍵操作時に鍵２にアクション荷重を付与するカム機構３とを備えている。この場合、鍵２は、実際には白鍵と黒鍵とが複数配列されているが、この実施形態１では１つの白鍵のみについて説明する。このため、カム機構３も、１つの鍵２に対する１組みについて説明する。
【００１４】
鍵２は、図１および図２に示すように、下面側が開放された中空のほぼ角棒状に形成され、その後端部（図１では右端部）が鍵盤シャーシ１の後部上に設けられた鍵支持部４に軸４ａによって上下方向に回動可能に取り付けられている。また、この鍵２は、その後部における下面とこれに対応する鍵盤シャーシ１の後部上面との間にコイルばねなどのばね部材５が配置され、このばね部材５によって上方に付勢され、後述するカム機構３によって所定の上限位置（図１に示す初期位置）に規制されるように構成されている。
【００１５】
カム機構３は、図１に示すように、鍵２の押鍵操作に応じて回動するカム部材６と、このカム部材６を後述する初期位置（図１に示す状態の位置）に戻すように付勢するコイルばね７とを備えている。カム部材６は、図１および図２に示すように、１枚のほぼ楕円形の平板状に形成され、その上端部が鍵盤シャーシ１に設けられた一対の支持アーム部８に支持軸８ａによって上下方向に回動可能に取り付けられ、これにより鍵２の前後方向に揺動するように構成されている。また、コイルばね７は、図１に示すように、カム部材６の前端下部と鍵盤シャーシ１に設けられた取付部９との間に取り付けられ、これによりカム部材６を鍵２の前方に向けて付勢することにより、カム部材６を図１に示す初期位置に位置規制するように構成されている。
【００１６】
ところで、カム部材６は、図１に示すように、支持軸８ａの下側から前側下部（図１では左下側）に向けて傾斜する傾斜ガイド溝１０と、この傾斜ガイド溝１０からほぼ垂直下方に向けて形成された無負荷ガイド溝１１と、この無負荷ガイド溝１１の下端部から傾斜ガイド溝１０の上端部に亘って緩やかにカーブして連続するほぼ円弧状の離鍵ガイド溝１２とがほぼ環状に連続した状態で、図２に示すように、カム部材６の表裏両面にそれぞれ形成されている。
【００１７】
これら各ガイド溝１０〜１２内には、鍵２の内面に互いに対向して設けられた一対のガイド突起１３が移動可能に挿入されている。これら一対のガイド突起１３は、各ガイド溝１０〜１２のうち、傾斜ガイド溝１０の上端部に位置したときに、鍵２の上限位置を規制して鍵２を初期位置に規制し、また無負荷ガイド溝１１と離鍵ガイド溝１２との間に位置する最下部に位置したときに、鍵２の下限位置を規制するように構成されている。
【００１８】
この場合、傾斜ガイド溝１０は、押鍵開始時から押鍵終了直前まで鍵２のガイド突起１３をガイドし、コイルばね７によるばね力を次第に増大させて鍵２に伝えることにより、鍵荷重が次第に重くなるアクション荷重を鍵２に付与するように形成されている。また、無負荷ガイド溝１１は、押鍵終了直前から押鍵終了まで鍵２のガイド突起１３をガイドしてコイルばね７のばね力による負荷が鍵２にほとんど加わらず、鍵２に押鍵力が抜ける感じの鍵タッチ感を付与するように形成されている。離鍵ガイド溝１２は、離鍵時に鍵２のガイド突起１３をガイドして、鍵２に従来例のようなクリック感を与えずに、鍵２を初期位置に円滑に且つ速やかに復帰させるように形成されている。
【００１９】
このような鍵盤装置では、鍵２を押鍵すると、鍵２の後部に配置されたばね部材５のばね力に抗して鍵２が鍵支持部４の軸４ａを中心に図１において反時計回り（前下がり）に回動する。すると、図３に示すように、鍵２のガイド突起１３がカム部材６の傾斜ガイド溝１０に沿って下方に移動するので、このガイド突起１３によってカム部材６がコイルばね７のばね力に抗して支持軸８ａを中心に図３において反時計回りに回動する。この押鍵開始時から押鍵終了直前までのときには、ガイド突起１３が傾斜ガイド溝１０に沿って下方に移動するので、これに伴ってコイルばね７のばね力が次第に大きくなり、鍵荷重が次第に増大するため、鍵２に次第に重くなるアクション荷重が付与される。
【００２０】
この状態で、更にガイド突起１３が傾斜ガイド溝１０に沿って下方に移動すると、ガイド突起１３が傾斜ガイド溝１０の下端部を乗り越えて無負荷ガイド溝１１に移動する。このときには、カム部材６の反時計回りの回動量が最大になるため、鍵荷重が最大になる。そして、押鍵終了直前から押鍵終了までのときには、図４に示すように、無負荷ガイド溝１１に沿って下方に移動し、カム部材６がコイルばね７のばね力によって支持軸８ａを中心に逆方向、つまり図４において時計回りに少し回動するので、ガイド突起１３にコイルばね７のばね力による負荷がほとんど加わることがない。このため、ガイド突起１３が無負荷ガイド溝１１に沿って降下するときには、鍵荷重が急激に軽くなり、鍵２に押鍵力が抜ける感じの鍵タッチ感が付与される。
【００２１】
この後、鍵２から指を離して外力を取り除くと、図５に示すように、鍵２がその後部のばね部材５のばね復帰力によって図５において時計回り（前上がり）に回動すると共に、カム機構３のコイルばね７のばね力によってカム部材６が支持軸８ａを中心に時計回りに回動する。このため、鍵２のガイド突起１３は、カム部材６の無負荷ガイド溝１１から離鍵ガイド溝１２に移動し、図５に示すように、この離鍵ガイド溝１２に沿って上方に移動する。このときには、離鍵ガイド溝１２が緩やかにカーブする円弧状に形成されているので、ガイド突起１３を速やかに且つ円滑に上方に移動させることができる。これにより、従来例のようなクリック感が鍵２に与えられることがなく、鍵２が円滑に且つ速やかに図１に示す初期位置に戻る。
【００２２】
このように、この鍵盤装置によれば、押鍵開始時から押鍵終了直前までのときに、カム部材６の傾斜ガイド溝１０が鍵２のガイド突起１３をガイドするので、コイルばね７のばね力が次第に増大し、これにより鍵荷重が次第に重くなるアクション荷重を鍵２に付与することができる。また、押鍵終了直前から押鍵終了までのときには、カム部材６の無負荷ガイド溝１１が鍵２のガイド突起１３をガイドするので、コイルばね７のばね力による負荷がガイド突起１３にほとんど加わることがなく、このため鍵荷重が急激に軽くなり、鍵２に押鍵力の抜ける感じの鍵タッチ感を付与することができる。更に、離鍵時には緩やかにカーブする離鍵ガイド部１２が鍵２のガイド突起１３をガイドするので、従来例のようなクリック感を鍵２に与えずに、鍵２を円滑に且つ速やかに初期位置に復帰させることができる。これにより、重量の重いハンマーを用いずに、アコースティックピアノの鍵タッチ感に近似した鍵タッチ感を得ることができる。
【００２３】
なお、上記実施形態１では、カム部材６を１枚の平板で形成し、その表裏両面に各ガイド溝１０〜１２をそれぞれ連続させて形成した場合について述べたが、これに限らず、例えば図６に示す第１変形例のように、カム部材１４を２枚の平板でそれぞれ形成し、その各外側の表面にそれぞれ各ガイド溝１０〜１２をほぼ環状に連続させて形成し、これらカム部材１４を連結軸１５で一体的に連結した構成でも良い。
【００２４】
この場合には、連結軸１５の中間部分を鍵盤シャーシ１上に設けられた支持アーム部１６によって回動可能に支持すれば良い。このような構成でも、実施形態１と同様の作用効果があるほか、特に押鍵時に２つのカム部材１４が連結軸１５を中心に回動するときに、支持アーム部１６によって２つのカム部材１４が横振れするのを防ぐことができ、これにより円滑にカム部材１４を押鍵操作に応じて回動させることができる。
【００２５】
また、上記実施形態１では、カム機構３のカム部材６をコイルばね７によって初期位置に付勢するように構成した場合について述べたが、これに限らず、例えば図７または図８に示す各変形例のように構成しても良い。すなわち、図７に示した第２変形例では、コイルばね７に代えて、鍵盤シャーシ１上に板ばね１７を設け、この板ばね１７によってカム部材６を初期位置に付勢するように構成しても良い。
【００２６】
また、図８に示した第３変形例のように、カム部材６の支持軸８ａにトーションばね１８を巻き付け、このトーションばね１８の一端部を支持アーム部８の係止孔８ｂに係止させ、他端部をカム部材６の外周面に係止させることにより、このトーションばね１８によってカム部材６を初期位置に付勢するように構成しても良い。このように、コイルばね７に代えて、板ばね１７またはトーションばね１８を用いた第２、第３変形例においても、実施形態１と同様の作用効果がある。
【００２７】
（実施形態２）
次に、図９〜図１３を参照して、この発明を適用した鍵盤装置の実施形態２について説明する。なお、図１〜図５に示された実施形態１と同一部分には同一符号を付して説明する。
この鍵盤装置は、カム機構２０が、鍵２の両側内面にそれぞれ形成されたカム溝２１と、鍵盤シャーシ１上に回動可能に取り付けられてカム溝２１に沿って揺動する揺動部材２２と、この揺動部材２２を鍵２の前方に向けて付勢するコイルばね２３とを備えた構成で、これ以外は実施形態１とほぼ同じ構成になっている。
【００２８】
すなわち、揺動部材２２は、図９および図１０に示すように、鍵２内に挿入可能な平板状に形成され、その下端部が回動軸２４によって鍵盤シャーシ１上の支持部２９に回動可能に取り付けられ、上端部が鍵２の内部に下側から挿入し、この挿入した上端部の両側に鍵２の両側内面に形成されたカム溝２１内を移動する一対のガイド突起２５が設けられた構成になっている。コイルばね２３は、図９に示すように、揺動部材２２の中間部と鍵盤シャーシ１に設けられた取付部９との間に取り付けられ、これにより揺動部材２２のガイド突起２５を鍵２の前方に向けて付勢するように構成されている。
【００２９】
一方、カム溝２１は、図９に示すように、下部側から後部上方（図９では右上側）に向けて傾斜する傾斜ガイド部２６と、この傾斜ガイド部２６からほぼ垂直上方に向けて形成された無負荷ガイド部２７と、この無負荷ガイド部２７の上端部から傾斜ガイド部２６の下端部に亘って緩やかにカーブして連続する円弧状の離鍵ガイド部２８とがほぼ環状に連続した状態で、鍵２の内部における両側面にそれぞれ対向して形成されている。この場合にも、鍵２は、揺動部材２２のガイド突起２５がカム溝２１の傾斜ガイド部２６における下端部に位置したときに、所定の上限位置に位置規制されて初期位置に規制され、またガイド突起２５が無負荷ガイド部２７と離鍵ガイド部２８との間に位置する最上部に位置したときに、下限位置に位置規制されるように構成されている。
【００３０】
すなわち、傾斜ガイド部２６は、押鍵開始時から押鍵終了直前まで揺動部材２２のガイド突起２５をガイドし、コイルばね２３によるばね力を次第に増大させることにより、鍵荷重が次第に重くなるアクション荷重を鍵２に付与するように形成されている。また、無負荷ガイド部２７は、押鍵終了直前から押鍵終了まで揺動部材２２のガイド突起２５をガイドしてコイルばね２３のばね力による負荷が鍵２にほとんど加わらず、鍵２に押鍵力が抜ける感じの鍵タッチ感を付与するように形成されている。離鍵ガイド部２８は、離鍵時に揺動部材２２のガイド突起２５をガイドして、鍵２に従来例のようなクリック感を与えずに、鍵２を初期位置に円滑に且つ速やかに復帰させるように形成されている。
【００３１】
このような鍵盤装置では、鍵２を押鍵すると、実施形態１と同様、鍵２の後部に配置されたばね部材５のばね力に抗して鍵２が鍵支持部４の軸４ａを中心に図９において反時計回り（前下がり）に回動する。すると、図１１に示すように、揺動部材２２のガイド突起２５がカム溝２１の傾斜ガイド部２６に沿って相対的に上方に移動するので、カム溝２１がコイルばね２３のばね力に抗して揺動部材２２のガイド突起２５を後方（図１１では右側）に向けて移動させる。すなわち、揺動部材２２は、その下端部の回動軸２４を中心に図１１において時計回りに回動し、ガイド突起２５を後方に向けて移動させる。
【００３２】
この押鍵開始時から押鍵終了直前までのときには、ガイド突起２５が傾斜ガイド部２６に沿って相対的に後部上方（図１１では右上側）に向けて移動し、このガイド突起２５の移動に伴ってコイルばね２３のばね力が次第に大きくなり、これにより鍵荷重が次第に増大し、鍵２に次第に重くなるアクション荷重が付与される。この状態で、更にガイド突起２５が傾斜ガイド部２６に沿って相対的に後部上方に移動すると、図１２に示すように、ガイド突起２５が傾斜ガイド部２６の上端部を乗り越えて無負荷ガイド部２７に移動する。このときには、揺動部材２２の時計回りの回動量、つまり揺動部材２２のガイド突起２５の後方への移動量が最大になるため、鍵荷重が最大になる。
【００３３】
そして、この押鍵終了直前から押鍵終了までのときには、図１２に示すように、無負荷ガイド部２６に沿って相対的に前部上方に移動し、揺動部材２２がコイルばね２３のばね力によって回動軸２４を中心に逆方向、つまり図１２において反時計回りに少し回動するので、ガイド突起２５にコイルばね２３のばね力による負荷がほとんど加わることがない。このため、ガイド突起２５が無負荷ガイド部２６に沿って相対的に前部上方に向けて移動するので、鍵荷重が急激に軽くなり、鍵２に押鍵力が抜ける感じの鍵タッチ感が付与される。
【００３４】
この後、鍵２から指を離して外力を取り除くと、図１３に示すように、鍵２がその後部のばね部材５のばね復帰力によって図１３において時計回り（前上がり）に回動すると共に、カム機構２０のコイルばね２３のばね力によって揺動部材２２が回動軸２４を中心に反時計回りに回動する。このため、揺動部材２２のガイド突起２５が、カム溝２１の無負荷ガイド部２７から離鍵ガイド部２８に移動し、図１３に示すように、この離鍵ガイド部２８に沿って相対的に上側から下側に移動する。このときには、離鍵ガイド部２８が緩やかにカーブする円弧状に形成されているので、ガイド突起２５を速やかに且つ円滑に下方に向けて相対的に移動させることができる。これにより、従来例のようなクリック感が鍵２に与えられることがなく、鍵２が円滑に且つ速やかに図９に示す初期位置に戻る。
【００３５】
このように、この鍵盤装置によれば、鍵２を押鍵すると、押鍵開始時から押鍵終了直前までカム溝２１の傾斜ガイド部２６が揺動部材２２のガイド突起２５をガイドするので、コイルばね２３のばね力が次第に増大し、これにより鍵荷重が次第に重くなるアクション荷重を鍵２に付与することができる。また、押鍵終了直前から押鍵終了まではカム溝２１の無負荷ガイド部２７が揺動部材２２のガイド突起２５をガイドするので、コイルばね２３のばね力による負荷が鍵２にほとんど加わらず、このため鍵２に押鍵力の抜ける感じの鍵タッチ感を付与することができる。更に、離鍵時にはカム溝２１の緩やかにカーブする離鍵ガイド部２８が揺動部材２２のガイド突起２５をガイドするので、従来例のようなクリック感を鍵２に与えずに、鍵２を初期位置に円滑に且つ速やかに復帰させることができる。これにより、実施形態１と同様、重量の重いハンマーを用いずに、アコースティックピアノの鍵タッチ感に近似した鍵タッチ感を得ることができる。
【００３６】
なお、上記実施形態２では、鍵盤シャーシ１上に回動軸２４によって回動可能に設けられ、且つカム機構２０のカム溝２１に沿って移動するガイド突起２５が設けられた揺動部材２２をコイルばね２３によって初期位置に付勢するように構成した場合について述べたが、これに限らず、例えば図１４または図１５に示す各変形例のように構成しても良い。すなわち、図１４に示した第４変形例では、コイルばね２３に代えて、鍵盤シャーシ１上に板ばね３０を設け、この板ばね３０によって揺動部材２２を初期位置、つまり図１４において反時計回りに付勢するように構成しても良い。
【００３７】
また、図１５に示した第５変形例のように、揺動部材２２の下部側の回動軸２４にトーションばね３１を巻き付け、このトーションばね３１の一端部を揺動部材２２に係止させ、他端部を鍵盤シャーシ１に係止させることにより、このトーションばね３１によって揺動部材２２を初期位置、つまり図１５において反時計回りに付勢するように構成しても良い。このように、コイルばね２３に代えて、板ばね３０またはトーションばね３１を用いた第４、第５変形例においても、実施形態２と同様の作用効果がある。
【図面の簡単な説明】
【００３８】
【図１】この発明を適用した鍵盤装置において鍵が押鍵されない初期状態を概略的に示した一部破断した側面図である。（実施形態１）
【図２】図１のＡ−Ａ矢視における要部の拡大断面図である。
【図３】図１の状態で鍵が押鍵された押鍵開始状態を示した一部破断した側面図である。
【図４】図３の状態で更に鍵が押鍵された押鍵終了状態を示した一部破断した側面図である。
【図５】図４の状態で鍵が初期位置に復帰する状態を示した一部破断した側面図である。
【図６】実施形態１のカム部材の第１変形例を示した要部の拡大断面図である。
【図７】実施形態１の付勢部材の第２変形例を示した要部の拡大断面図である。
【図８】実施形態１の付勢部材の第３変形例を示した要部の拡大断面図である。
【図９】この発明を適用した鍵盤装置において鍵が押鍵されない初期状態を概略的に示した一部破断した側面図である。（実施形態２）
【図１０】図９のＢ−Ｂ矢視における要部の拡大断面図である。
【図１１】図９の状態で鍵が押鍵された押鍵開始状態を示した一部破断した要部の側面図である。
【図１２】図１１の状態で更に鍵が押鍵された押鍵終了状態を示した一部破断した要部の側面図である。
【図１３】図１２の状態で鍵が初期位置に復帰する状態を示した一部破断した要部の側面図である。
【図１４】実施形態２の付勢部材の第４変形例を示した要部の拡大断面図である。
【図１５】実施形態２の付勢部材の第５変形例を示した要部の拡大断面図である。
【符号の説明】
【００３９】
１  鍵盤シャーシ
２  鍵
３、２０  カム機構
４  鍵支持部
５  ばね部材
６、１４  カム部材
７、２３  コイルばね
８  支持アーム部
８ａ  支持軸
１０  傾斜ガイド溝
１１  無負荷ガイド溝
１２  離鍵ガイド溝
１３、２５  ガイド突起
１７、３０  板ばね
１８、３１  トーションばね
２１  カム溝
２２  揺動部材
２４  回動軸
２６  傾斜ガイド部
２７  無負荷ガイド部
２８  離鍵ガイド部
【図１】
2006030437.tif 000003
【図２】
2006030437.tif 000004
【図３】
2006030437.tif 000005
【図４】
2006030437.tif 000006
【図５】
2006030437.tif 000007
【図６】
2006030437.tif 000008
【図７】
2006030437.tif 000009
【図８】
2006030437.tif 000010
【図９】
2006030437.tif 000011
【図１０】
2006030437.tif 000012
【図１１】
2006030437.tif 000013
【図１２】
2006030437.tif 000014
【図１３】
2006030437.tif 000015
【図１４】
2006030437.tif 000016
【図１５】
2006030437.tif 000017